(57)【要約】【課題】在庫の中から特定の景品を選び出すことに関して使い勝手の向上を図ることができる景品管理システムおよび景品管理方法を提供すること。【解決手段】景品管理システム１００では、データベース３４が、景品に関する情報を記憶している。そして、景品管理システム１００を構成する景品管理装置２の制御部３０が、データベース３４に記憶される景品の中から、所定の条件に一致する景品を抽出し、抽出された景品の一部または全部を、景品交換の対象外とする。そのため、前記所定の条件（景品の抽出条件）を決めれば、その条件に一致する景品をデータベース３４の景品の中から自動で抽出でき、抽出された景品の一部または全部を、景品交換の対象外とすることができる。これにより、在庫の中から特定の景品を選び出すことに関して使い勝手の向上を図ることができる。【選択図】図３
2012120700.tif 000002
【特許請求の範囲】
【請求項１】
遊技店に設置される景品管理システムであって、
景品に関する情報を記憶する景品情報記憶手段と、
前記景品情報記憶手段に記憶される景品の中から、所定の条件に一致する景品を抽出する抽出手段と、
前記抽出手段によって抽出された景品の一部または全部を、景品交換の対象外とする対象外処理手段と、
を有することを特徴とする、景品管理システム。
【請求項２】
前記景品情報記憶手段は、景品の入庫または出庫に関する日付情報を記憶し、
前記所定の条件は、前記日付情報に関する内容を指定するものであることを特徴とする、請求項１記載の景品管理システム。
【請求項３】
前記景品情報記憶手段は、景品の在庫情報を記憶し、
前記所定の条件は、前記在庫情報に関する内容を指定するものであることを特徴とする、請求項１または２記載の景品管理システム。
【請求項４】
前記抽出手段によって抽出された景品の中から任意の景品を除外するための除外手段を有することを特徴とする、請求項１〜３のいずれかに記載の景品管理システム。
【請求項５】
前記景品情報記憶手段は、景品の種類をグループ管理し、
前記抽出手段は、グループ内の景品のうち一つでも前記所定の条件に一致すれば、その景品が属するグループ内の全ての景品を抽出することを特徴とする、請求項１〜４のいずれかに記載の景品管理システム。
【請求項６】
前記所定の条件に一致する、一致しないにかかわらず、前記抽出手段によって抽出されない景品を設定するための非抽出景品設定手段を有することを特徴とする、請求項１〜５のいずれかに記載の景品管理システム。
【請求項７】
遊技店に設置される景品管理システムであって、
景品に関する情報を記憶する景品情報記憶手段と、
前記景品情報記憶手段に記憶される景品の中から、所定の条件に一致する景品を抽出する抽出手段と、
前記抽出手段によって抽出されなかった景品の一部または全部を、景品交換の対象外とする対象外処理手段と、
を有することを特徴とする、景品管理システム。
【請求項８】
遊技店における景品管理方法であって、
景品に関する情報を記憶する景品情報記憶手段の中から所定の条件に一致する景品を抽出する抽出工程と、
前記抽出工程によって抽出された景品の一部または全部を、景品交換の対象外とする対象外処理工程と、
を有することを特徴とする、景品管理方法。
【発明の詳細な説明】
【技術分野】
【０００１】
この発明は、遊技店に設置され、景品と遊技媒体との交換に基づく交換実績収集を行うための景品管理システムおよび景品管理方法に関する。
【背景技術】
【０００２】
遊技店には、客が獲得した遊技媒体（たとえば、パチンコ玉）を景品に交換するための景品カウンタが設けられている。客は、獲得したパチンコ玉の数（獲得数）を記憶したレシートやカード等の記憶媒体を景品カウンタに持ち込む。景品カウンタには、景品管理システムを構成する景品管理装置が設置されている（たとえば、特許文献１参照）。
景品管理装置は、景品と遊技媒体との交換による景品払出しおよび景品の在庫を管理している。予め、取り扱う景品毎の景品名や交換玉数（景品１つと交換するのに必要なパチンコ玉の数）や在庫数量等の情報が景品データベースとして記憶される。景品交換時には、客の記憶媒体から獲得数を読み取った後に、遊技店の店員が、客が所望する種類の景品を選択し、景品の個数を景品管理装置に入力すると、景品管理装置の店側表示部には、獲得数や、今回選択した景品の種類および個数といった景品情報が表示される。
【０００３】
店員は、店側表示部に表示された景品情報に基づいて、該当する種類の景品を必要な数だけ客に払い出す。このとき、景品管理装置は、景品と交換するのに必要なパチンコ玉数を客の獲得数から差し引くとともに、景品の在庫を更新する。
【先行技術文献】
【特許文献】
【０００４】
【特許文献１】特開２００９−０９５３８３号公報
【発明の概要】
【発明が解決しようとする課題】
【０００５】
景品には、たとえば、タバコやお菓子やジュース等の複数の種類があり、タバコやお菓子やジュースのそれぞれにも、たくさんの銘柄があることから、景品には膨大な種類がある。そして、次々と新しい種類の景品が追加される一方、人気がなくて交換頻度が低い景品（「不人気景品」という）が存在しており、これら不人気景品を管理し続けることは種々の面で無駄につながる。そこで、不人気景品を抽出して景品データベースから削除し、景品棚から景品（現物）を撤去する作業が行われるが、店員の記憶や勘に頼って不人気景品を特定しており、そのため、必ずしも不人気景品を正確に抽出できているとは言えなかった。また、他の理由により所定の景品を景品データベースから削除する場合にも、数多くの景品の中から目的の景品データを探し出すのに手間がかかる上、抽出ミスが起きる虞があった。
【０００６】
この発明は、かかる背景のもとでなされたもので、在庫の中から特定の景品を選び出すことに関して使い勝手の向上を図ることができる景品管理システムおよび景品管理方法を提供することを目的とする。
【課題を解決するための手段】
【０００７】
請求項１記載の発明は、遊技店に設置される景品管理システムであって、景品に関する情報を記憶する景品情報記憶手段と、前記景品情報記憶手段に記憶される景品の中から、所定の条件に一致する景品を抽出する抽出手段と、前記抽出手段によって抽出された景品の一部または全部を、景品交換の対象外とする対象外処理手段と、を有することを特徴とする、景品管理システムである。
【０００８】
請求項２記載の発明は、前記景品情報記憶手段は、景品の入庫または出庫に関する日付情報を記憶し、前記所定の条件は、前記日付情報に関する内容を指定するものであることを特徴とする、請求項１記載の景品管理システムである。
請求項３記載の発明は、前記景品情報記憶手段は、景品の在庫情報を記憶し、前記所定の条件は、前記在庫情報に関する内容を指定するものであることを特徴とする、請求項１または２記載の景品管理システムである。
【０００９】
請求項４記載の発明は、前記抽出手段によって抽出された景品の中から任意の景品を除外するための除外手段を有することを特徴とする、請求項１〜３のいずれかに記載の景品管理システムである。
請求項５記載の発明は、前記景品情報記憶手段は、景品の種類をグループ管理し、前記抽出手段は、グループ内の景品のうち一つでも前記所定の条件に一致すれば、その景品が属するグループ内の全ての景品を抽出することを特徴とする、請求項１〜４のいずれかに記載の景品管理システムである。
【００１０】
請求項６記載の発明は、前記所定の条件に一致する、一致しないにかかわらず、前記抽出手段によって抽出されない景品を設定するための非抽出景品設定手段を有することを特徴とする、請求項１〜５のいずれかに記載の景品管理システムである。
請求項７記載の発明は、遊技店に設置される景品管理システムであって、景品に関する情報を記憶する景品情報記憶手段と、前記景品情報記憶手段に記憶される景品の中から、所定の条件に一致する景品を抽出する抽出手段と、前記抽出手段によって抽出されなかった景品の一部または全部を、景品交換の対象外とする対象外処理手段と、を有することを特徴とする、景品管理システムである。
【００１１】
請求項８記載の発明は、遊技店における景品管理方法であって、景品に関する情報を記憶する景品情報記憶手段の中から所定の条件に一致する景品を抽出する抽出工程と、前記抽出工程によって抽出された景品の一部または全部を、景品交換の対象外とする対象外処理工程と、を有することを特徴とする、景品管理方法である。
【発明の効果】
【００１２】
請求項１記載の発明によれば、景品管理システムでは、景品情報記憶手段が、景品に関する情報を記憶している。そして、抽出手段が、景品情報記憶手段に記憶される景品の中から、所定の条件に一致する景品を抽出し、対象外処理手段が、抽出された景品の一部または全部を、景品交換の対象外とする。
そのため、前記所定の条件（景品の抽出条件）を決めれば、その条件に一致する景品を景品情報記憶手段の景品の中から自動で抽出でき、抽出された景品の一部または全部を、景品交換の対象外とすることができる。
【００１３】
これにより、在庫の中から特定の景品を選び出すことに関して使い勝手の向上を図ることができる。
請求項２記載の発明によれば、景品情報記憶手段は、景品の入庫または出庫に関する日付情報を記憶していて、前記所定の条件は、日付情報に関する内容を指定するものである。この場合、日付情報に関する条件に一致する景品を、景品情報記憶手段の景品の中から自動で抽出できる。
【００１４】
請求項３記載の発明によれば、景品情報記憶手段は、景品の在庫情報を記憶していて、前記所定の条件は、在庫情報に関する内容を指定するものである。この場合、在庫情報に関する条件に一致する景品を、景品情報記憶手段の景品の中から自動で抽出できる。
請求項４記載の発明によれば、除外手段により、抽出手段によって抽出された景品の中から任意の景品を除外することができる。これにより、都合に応じて、当該任意の景品を、景品交換の対象外としないように設定できるので、使い勝手がよい。
【００１５】
請求項５記載の発明によれば、景品情報記憶手段は、景品の種類をグループ管理していて、抽出手段は、グループ内の景品のうち一つでも前記所定の条件に一致すれば、その景品が属するグループ内の全ての景品を抽出する。これにより、前記所定の条件に一致する景品だけでなく、この景品と同グループの景品もまとめて抽出できるので、使い勝手がよい。
【００１６】
請求項６記載の発明によれば、前記所定の条件に一致する、一致しないにかかわらず、抽出手段によって抽出されない景品（非抽出景品）を、非抽出景品設定手段によって設定することができる。これにより、任意に選んだ非抽出景品は、抽出されず、景品交換の対象外とされないように設定できるので、使い勝手がよい。
請求項７記載の発明によれば、景品管理システムでは、景品情報記憶手段が、景品に関する情報を記憶している。そして、抽出手段が、景品情報記憶手段に記憶される景品の中から、所定の条件に一致する景品を抽出し、対象外処理手段が、抽出されなかった景品の一部または全部を、景品交換の対象外とする。
【００１７】
そのため、前記所定の条件（景品の抽出条件）を決めれば、その条件に一致しない景品を景品情報記憶手段の景品の中から自動で抽出でき、当該景品の一部または全部を、景品交換の対象外とすることができる。
これにより、在庫の中から特定の景品を選び出すことに関して使い勝手の向上を図ることができる。
【００１８】
請求項８記載の発明の景品管理方法によれば、抽出工程では、景品に関する情報を記憶する景品情報記憶手段の中から所定の条件に一致する景品を抽出し、対象外処理工程では、抽出工程によって抽出された景品の一部または全部を、景品交換の対象外とする。
そのため、前記所定の条件（景品の抽出条件）を決めれば、その条件に一致する景品を景品情報記憶手段の景品の中から自動で抽出でき、抽出された景品の一部または全部を、景品交換の対象外とすることができる。
【００１９】
これにより、在庫の中から特定の景品を選び出すことに関して使い勝手の向上を図ることができる。
【図面の簡単な説明】
【００２０】
【図１】図１は、遊技店内の景品カウンタＫを示す模式的な斜視図である。
【図２】図２は、景品管理装置２を示す斜視図である。
【図３】図３は、景品管理装置２の電気的構成を示すブロック図である。
【図４】図４は、データベース３４に記憶される内容を示す図である。
【図５】図５は、景品管理装置２の店側表示部１４の表示の一例を示す図である。
【図６】図６は、景品管理装置２によって実行される処理の手順を示すフローチャートである。
【図７Ａ】図７Ａは、景品管理装置２の店側表示部１４の表示の一例を示す図である。
【図７Ｂ】図７Ｂは、景品管理装置２の店側表示部１４の表示の一例を示す図である。
【図８Ａ】図８Ａは、景品管理装置２の店側表示部１４の表示の一例を示す図である。
【図８Ｂ】図８Ｂは、景品管理装置２の店側表示部１４の表示の一例を示す図である。
【発明を実施するための形態】
【００２１】
以下には、図面を参照して、この発明の実施形態について具体的に説明する。
図１は、遊技店内の景品カウンタＫを示す模式的な斜視図である。
図１を参照して、たとえばパチンコ店などの遊技店には、遊技台での遊技によって獲得したパチンコ玉やメダル等の遊技媒体（ここでは、パチンコ玉）を景品に交換するための景品カウンタＫが設けられている。景品カウンタＫの背後には、棚Ｔが配置されていて、棚Ｔには、タバコやお菓子やジュース等のいわゆる一般景品が陳列されている。遊技店の店員は、景品カウンタＫと棚Ｔとの間に立って接客を行う。
【００２２】
景品カウンタＫ上には、景品払出装置１と、景品管理装置２とが配置されている。
ここで、景品には、前述した一般景品の他に、貴金属等の有価物が内蔵されたカード状の特殊景品がある。特殊景品には、その価値に応じて、たとえば大景品、中景品、小景品という複数の種類がある。景品払出装置１は、内蔵した特殊景品を客に払い出すものである。
【００２３】
景品管理装置２は、ＰＯＳとも呼ばれる。景品管理装置２は、通信回線（図示せず）を介して、景品払出装置１や遊技店内のターミナルコントローラ（図示せず）に対して通信可能に接続されている。
景品管理装置２は、景品（一般景品および特殊景品を含む）の在庫を管理している。そして、景品管理装置２は、客が獲得したパチンコ玉と景品との交換処理を行う機能を主に有している。
【００２４】
景品管理装置２の機能の概略を説明すると、まず、客が獲得したパチンコ玉は、計数機（図示せず）によって計数され、その計数結果であるパチンコ玉の獲得数（遊技媒体数）は、レシートやカード（ここでは、カード）等の遊技媒体数記憶手段に記憶される。
カードとして、磁気カードやＩＣチップを備えたＩＣカード（ここでは、ＩＣカード）が挙げられる。カード自体に獲得数が記憶されてもよいし、各カードに割り振られたＩＤ（識別番号）に関連付けて、獲得数が、ターミナルコントローラ３３（後述する）が有するデータベース３４（後述する）に記憶されてもよい。なお、客個人の携帯電話がカードの役割を果たしてもよい。この場合、携帯電話に内蔵されたＩＣチップの製造番号（ＩＤｍ）が前述したＩＤと同じ役割を果たし、客個人の携帯電話のＩＤｍに関連付けて、獲得数がデータベース（図示せず）に記憶される。また、データベース（図示せず）では、当日獲得されたパチンコ玉（いわゆる「持玉（もちだま）」）の数に限らず、遊技店に会員登録している会員客が前日以前に獲得したパチンコ玉（いわゆる「貯玉（ちょだま）」）の数も獲得数として管理している。また、獲得数がレシートに記憶（記録）される場合には、獲得数を示すバーコードがレシートに印刷される。
【００２５】
客は、このカードを景品カウンタＫに持ち込む。景品管理装置２は、持ち込まれたカードに記憶された獲得数を読み取ったり、このカードのＩＤに関連付けられた獲得数をデータベース（図示せず）から呼び出したりすることで、このカードの持ち主（客）の獲得数を取得する。
そして、一般景品の場合、獲得数の範囲内で交換可能な一般景品が選択されると、景品管理装置２は、払い出された一般景品について在庫を更新する。特殊景品の場合、獲得数の範囲内で交換可能な特殊景品が選択されると、景品管理装置２は、景品払出装置１に対して特殊景品の払い出し指示を送信するとともに、払い出す特殊景品について在庫を更新する。景品払出装置１は、景品管理装置２からの指示に沿って特殊景品を客に払い出す。
【００２６】
景品の在庫の更新は、景品とパチンコ玉との交換に基づく交換実績であり、景品交換が繰り返されることで、景品管理装置２は、景品の在庫の更新を繰り返して交換実績収集を行う。
次に、景品管理装置２の詳細について説明する。
図２は、景品管理装置２を示す斜視図である。
【００２７】
図２は、景品カウンタＫにいる店員から見たときの景品管理装置２を示している。
図２を参照して、景品管理装置２は、本体３と、ディスプレー４と、ＩＣカードリーダ５と、バーコードリーダ６とを備えている。
本体３は、上下に扁平なボックス形状である。本体３の上面には、キーボード７（除外手段）が設けられている。キーボード７は、景品管理装置２にデータ信号を入力するための入力操作部を構成する。キーボード７は、テンキー８と、一般景品選択キー９とを主に含んでいる。一般景品選択キー９は、多数設けられていて、それぞれの表面には、いずれかの一般景品の名前が記されている。
【００２８】
また、本体３の上面において、キーボード７以外の領域には、モード切換部１０と、用紙排出口１１とが設けられている。
モード切換部１０は、本体３の上面に露出される位置に鍵穴１０Ａが形成されたシリンダー錠である。鍵穴１０Ａに専用の鍵（図示せず）を差し込んでモード切換部１０を所定角度だけ回動させることによって、景品管理装置２の運転モードを、景品交換を行う景品交換モードや、景品交換モード以外のモードに切り換えることができる。景品交換モード以外のモードとして、景品管理装置２における設定内容を変更する設定モードや、会員客の登録内容等を変更する会員処理モードや、景品の在庫集計を行う集計モードや、在庫データの変更等を行う在庫処理モードや、在庫データ等のクリアを行うクリアモード等がある。モード切換部１０は、モード切換のための信号を景品管理装置２に入力するための入力操作部を構成する。
【００２９】
用紙排出口１１は、細長いスリット状である。本体３の内部において、用紙排出口１１の近傍には、ジャーナルプリンタ２０が配置されている。たとえば、景品の在庫集計を行ったときに、用紙排出口１１には、ジャーナルプリンタ２０によって集計結果が印刷された用紙が本体３の内部から排出される。
本体３において、図２における手前側端面には、電源スイッチ１２とメディア差込口１３とが設けられている。電源スイッチ１２を操作することによって、景品管理装置２の電源をオン／オフすることができる。メディア差込口１３は、奥側へ窪むＵ字をなすスリット状である。景品管理装置２内のデータを外部に持ち出す場合、または、外部のデータを景品管理装置２に取り込みたい場合には、データを記憶したメディア（図示せず）がメディア差込口１３に対して抜き差しされる。
【００３０】
ディスプレー４は、板状であり、図２における姿勢を基準として、本体３の奥側端部から奥側上方ヘ傾斜して延びている。ディスプレー４において、図２における手前側の側面には、略矩形状の店側表示部１４が設けられている。店側表示部１４は、液晶表示器であり、その上には、透明なタッチパネルスイッチ１５（除外手段）が積層されている。タッチパネルスイッチ１５は、店側表示部１４に含まれる。店側表示部１４は、景品カウンタＫの店員側を臨んでいる。店側表示部１４には、店舗の店員が確認および操作をするために必要な種々のデータが表示される（後述する）。
【００３１】
本体３およびディスプレー４において、図２における奥側の側面には、客側表示部１６が設けられている（図１も参照）。客側表示部１６は、たとえば液晶のタッチパネルであり、景品カウンタＫに来た客側を臨んでいる。客側表示部１６には、客向けの情報が表示される。
ＩＣカードリーダ５は、たとえば、図２に示すようなボックス形状である。なお、図２では、ＩＣカードリーダ５については、説明の便宜上、客側から見たときの姿勢で示している。
【００３２】
ＩＣカードリーダ５は、電気ケーブル１７を介して本体３に対して電気的に接続されている。ＩＣカードリーダ５は、その外郭をなすケーシング２２を有している。ケーシング２２の客側表面には、横方向に細長いスリット２３が形成されている。前述した客のカード（ＩＣカード）Ｃは、客自身または客からカードＣを預かった店員によってスリット２３に差し込まれることで、ＩＣカードリーダ５にセットされる。ＩＣカードリーダ５は、カードＣのＩＣチップを認識することで、カードＣがセットされたことを認識し、セットされたカードＣのＩＣチップに記憶されたデータ（前述した獲得数）を読み出す。また、ＩＣカードリーダ５は、ＩＣチップ内のデータを書き換えることもできる。さらに、ケーシング２２の上面には、下方へ窪む凹部が形成されており、この凹部は、携帯セット部２４とされる。携帯セット部２４には、客の携帯電話をセットすることができ、携帯セット部２４に携帯電話がセットされると、ＩＣカードリーダ５は、携帯電話の前述したＩＤｍを読み取ることができる。また、ケーシング２２の客側表面には、液晶パネル等で構成された表示部２５が表示されている。表示部２５には、客向けの情報が表示される。客は、表示部２５に表示されたキー（図示せず）を操作することによって、所定の情報（会員客の場合における暗証番号等）を入力することができる。
【００３３】
バーコードリーダ６は、把持できるグリップ形状であり、その先端部に、バーコードを読み取るためのバーコード読取部１８を有している。バーコードリーダ６は、電気ケーブル１９を介して本体３に対して電気的に接続されている。
図３は、景品管理装置２の電気的構成を示すブロック図である。
図３を参照して、景品管理装置２の本体３は、制御部３０（抽出手段、対象外処理手段）を備えている。制御部３０は、ＣＰＵおよびそのプログラム等を記憶したメモリ３０Ａ（ＲＯＭ、ＲＡＭ等）を備えており、プログラムに従って演算処理等の所定の処理を実行する。メモリ３０Ａには、遊技店で取り扱われる景品の在庫情報（景品毎の在庫数）や各種設定情報等の必要な情報が記憶されている。
【００３４】
制御部３０には、前述した店側表示部１４、客側表示部１６、電源スイッチ１２、モード切換部１０、キーボード７、ジャーナルプリンタ２０、ＩＣカードリーダ５およびバーコードリーダ６と、計時部３１と、通信Ｉ／Ｆ（インタフェース）部３２とが電気的に接続されている。計時部３１および通信Ｉ／Ｆ部３２は、景品管理装置２に備えられている。
【００３５】
計時部３１は、計時を行ったり、閉店時等の所定のタイミングを検出したりする。さらに、計時部３１は、カレンダー機能を持ち、景品の入出庫処理等が行われた日時を特定できる。
通信Ｉ／Ｆ部３２を介して、制御部３０（景品管理装置２）は、前述したターミナルコントローラ３３と通信することができる。ターミナルコントローラ３３には、前述したデータベース（略して「ＤＢ」）３４（景品情報記憶手段）が通信可能に接続されている。データベース３４は、ターミナルコントローラ３３の一部として構成されてもよい。制御部３０は、ターミナルコントローラ３３を介してデータベース３４と通信できる。また、前述した制御部３０のメモリ３０Ａがデータベース３４を兼ねてもよい。つまり、データベース３４を景品管理装置２の一部とみなしてもよい。いずれにせよ、景品管理装置２およびデータベース３４のまとまりは、景品管理システム１００を構成する。
【００３６】
ＩＣカードリーダ５は、セットされたカードＣのＩＣチップに記憶されたデータ（前述した獲得数）を読み出して制御部３０へ出力する。モード切換部１０およびキーボード７を操作すると、制御部３０に対してデータや信号が入力される。
また、制御部３０は、店側表示部１４および客側表示部１６のそれぞれにおける表示を制御する。
【００３７】
図４は、データベース３４に記憶される内容を示す図である。
ここで、景品（一般景品および特殊景品）に関する情報（データ）は、データベース３４に登録されていて、データベース３４によって記憶（管理）されている。図４を参照して、データベース３４において、たとえば、「ミカンあめ」、「ブドウあめ」、「リンゴあめ」、「コーラあめ」および「ラムネあめ」という５種類の景品は、「あめ」という共通の景品名称の景品（景品コード：００００１）としてまとめて記憶されている。同様に、データベース３４では、たとえば、「スナック（塩味）」、「コンソメチップス」および「バーベキューチップス」という３種類の景品は、「スナック」という共通の景品名称の景品としてまとめて記憶されている。さらに、データベース３４では、たとえば、「歯ブラシ」、「洗剤」、「石けん」および「タオル」という４種類の景品は、「日用品」という共通の景品名称の景品（景品コード：００００３）としてまとめて記憶されている。
【００３８】
つまり、細かい内容（たとえば、あめの場合は、あめの味）が異なるものの同族としてまとめることができる複数の景品は、共通の景品名称に属している。データベース３４では、内容の異なる同族の複数の景品を共通の景品名称でまとめることで景品の種類をグループ管理しているので、膨大な種類の景品をスリムに管理できる。そのため、データベース３４においてデータの記憶容量が超えるような不具合を防止できる。
【００３９】
もちろん、景品名称「防犯ブザー」の場合のように、景品名称に属する景品の種類が、「防犯ブザー」の１種類だけでも構わない。
各景品名称には、景品コードが割り振られている。たとえば、景品コードは、「あめ」の場合には「００００１」であり、「スナック」の場合には「００００２」であり、「日用品」の場合には「００００３」であり、「防犯ブザー」の場合には「０００１８」である。
【００４０】
また、各景品名称の景品１つと交換するのに必要なパチンコ玉の玉数（交換玉数）が設定されている。遊技媒体の種類（パチンコ玉またはメダル）や、遊技媒体の貸出レートが複数ある場合には、遊技媒体の種類や貸出レートに応じて複数種類の交換玉数が設定される。同じ景品名称に属する複数種類の景品は、いずれも同じ交換玉数のパチンコ玉と交換される。つまり、「ミカンあめ」でも「ラムネあめ」でも、これらの「あめ」１つと交換するのに、パチンコ玉は１０玉必要である。
【００４１】
そして、データベース３４は、景品名称毎に、景品コードと、景品名称と、交換玉数と、トータル在庫数と、景品名称に属する各景品（個別景品）についての個別名（前述した「ミカンあめ」等）、バーコードデータ、在庫数および最終の入出庫日（最終入出庫日）等とを記憶している。図４では、個別名、バーコードデータ、在庫数および最終入出庫日が、上からこの順番で並んで表示されている。
【００４２】
ここで、各景品が製造元から出荷されるときに、景品（景品の包装も含む）の表面にはバーコード（登録コード）が付与されており、このバーコードが表す数値データ（バーコードデータ）は、景品毎に異なる。たとえば、「ミカンあめ」のバーコードデータは、１１１１１であり、「コーラあめ」のバーコードデータは、１１１１４である。そのため、データベース３４では、このバーコードデータによって各景品を特定することができる。よって、各景品に関し、データベース３４では、バーコードデータが記憶されているのであれば、そのバーコードデータの景品の個別名は、記憶されていなくても構わない。
【００４３】
在庫数は、その景品単体の在庫数である。図４では、ミカンあめ単体での在庫数は、３０個であり、石けん単体での在庫数は、２５個である。各景品名称において、それぞれの景品名称に属する全ての景品の在庫数の合計が、トータル在庫数である。在庫数およびトータル在庫数は、景品の在庫情報である。
最終入出庫日は、景品が補充（入庫）された日（入庫日）、または、景品が払い出された（出庫された）日（出庫日）のうち、直近の日である。つまり、最終入出庫日は、入庫または出庫といった取引があった日における直近の日である。データベース３４では、各バーコードデータの景品の最終入出庫日が、各バーコードデータに対応付けて記憶されている。なお、最終入出庫日の代わりに、最終入庫日または最終出庫日を用いることができる。最終入出庫日、最終入庫日および最終出庫日のそれぞれは、景品の入庫または出庫に関する日付情報である。
【００４４】
このように、データベース３４には、パチンコ玉と交換する個別景品のデータとして、（１）景品名称、（２）景品名称の景品の在庫数（トータル在庫数や、景品名称に属する各景品の在庫数も含む）、（３）各景品名称に属する複数の景品別のバーコードデータ、および（４）各バーコードデータの景品の最終入出庫日が主に登録されている。制御部３０は、パチンコ玉と景品との交換処理（出庫処理）または景品の補充処理（入庫処理）に応答して、データベース３４の最終入出庫日および在庫数を更新登録する。
【００４５】
図５は、景品管理装置２の店側表示部１４の表示の一例を示す図である。
前述したデータベース３４に記憶されている景品（厳密には、当該景品のデータ）のうち、所望の景品を店側表示部１４での操作によってデータベース３４から検出して削除することができる。また、景品だけでなく、景品が属する景品名称（厳密には、当該景品名称に関連するデータ）もデータベース３４から検出して削除することができる。具体的には、モード切換部１０（図２参照）を操作して前述した設定モードに移行し、店側表示部１４に、図５に示す設定画面４０が表示されると、景品や景品名称の検出および削除に関する設定が可能になる。なお、データベース３４から景品や景品名称を検出して削除する処理を、検出削除処理という。
【００４６】
設定画面４０では、たとえば、左上に＜設定モード＞というタイトルが表示され、このタイトルの下に、「（１）実行タイミング」、「（２）検出条件」および「（３）その他」という３つの見出しが横に並んで表示される。
設定画面４０では、「（１）実行タイミング」の下に、「閉店時自動削除」、「閉店時手動削除」および「手動削除」というメッセージが上下に並んで表示されていて、「閉店時自動削除」のメッセージの真下（「閉店時自動削除」および「閉店時手動削除」の間）には、「リスト出力あり」および「リスト出力なし」という２つのメッセージが上下に並んで表示されている。設定画面４０では、「（１）実行タイミング」における各メッセージの先頭（左端）に、チェックボックス４１が表示されている。店員は、チェックボックス４１に触れることによって、チェックボックス４１内にチェックマーク（「レ」のマーク）４２を入れたり、既にあるチェックマーク４２を消したりすることができる。
【００４７】
「（１）実行タイミング」に関し、たとえば、閉店時において、所望する景品や景品名称がデータベース３４から自動的に検出・削除されることを店員が望む場合には、「閉店時自動削除」のメッセージの先頭のチェックボックス４１にチェックマーク４２を入れる。このとき、削除された景品や景品名称のリストの出力を望む場合には、「リスト出力あり」のメッセージの先頭のチェックボックス４１にチェックマーク４２を入れ、削除された景品や景品名称のリストの出力を望まない場合には、「リスト出力なし」のメッセージの先頭のチェックボックス４１にチェックマーク４２を入れる。一方、景品や景品名称の検出は自動で行なわれて、検出された景品や景品名称をデータベース３４から削除することは店員自身が閉店時に手動で行う場合には、「閉店時手動削除」のメッセージの先頭のチェックボックス４１にチェックマーク４２を入れる。また、任意のタイミングで、店員自身が景品や景品名称をデータベース３４から手動で削除する場合には、「手動削除」のメッセージの先頭のチェックボックス４１にチェックマーク４２を入れる。
【００４８】
「（２）検出条件」に関し、設定画面４０には、検出条件の一例として、最終入出庫日と在庫数とがメッセージとなって表示されている。設定画面４０では、各メッセージの先頭に、チェックボックス４１が表示されている。設定画面４０において、「最終入出庫日」のメッセージの真下には、最終入出庫日記入欄４３が表示され、「在庫数」のメッセージの真下には、在庫数記入欄４４が表示されている。最終入出庫日が所定の日以前である景品や景品名称を検出したい場合には、「最終入出庫日」の先頭のチェックボックス４１にチェックマーク４２を入れ、キーボード７（図２参照）等で入力することによって、最終入出庫日記入欄４３に、前記所定の日（図５では、「２０１０年５月３１日」）を記入する。在庫数（前述したトータル在庫数および各景品の個別の在庫数の両方を含む）が所定数以下である景品または景品名称を検出したい場合には、「在庫数」の先頭のチェックボックス４１にチェックマーク４２を入れ、キーボード７等で入力することによって、在庫数記入欄４４に、前記所定数（図５では、「７０個」）を記入する。
【００４９】
なお、最終入出庫日記入欄４３および在庫数記入欄４４のそれぞれの右端には、入力値変更ボタン４６が設けられている。最終入出庫日記入欄４３の右端の入力値変更ボタン４６を押すと、最終入出庫日記入欄４３では、最終入出庫日が次第に変わっていくので、前記所定の日が表示されたときに入力値変更ボタン４６を離すと、最終入出庫日記入欄４３には、前記所定の日が記入されたことになる。別の例として、設定画面４０にカレンダーが表示されて、当該カレンダーから前記所定の日を選ぶと、最終入出庫日記入欄４３に前記所定の日が記入されてもよい。また、前記所定の日は、「２０１０年５月３１日」といった具体的な日にちである必要はなく、たとえば「３ヶ月以上前」といったものでもよく、最終入出庫日記入欄４３には、「３ヶ月以上前」といった比較的あいまいな記入ができてもよい。
【００５０】
また、最終入出庫日記入欄４３の場合と同様に、在庫数記入欄４４の右端の入力値変更ボタン４６を押すと、在庫数記入欄４４では、在庫数が次第に変わっていくので、前記所定数が表示されたときに入力値変更ボタン４６を離すと、在庫数記入欄４４には、前記所定数が記入されたことになる。
ここで、検出条件について、前述した最終入出庫日および在庫数以外の検出条件も挙げることができる。たとえば、任意に選んだ日以降の取引数（客に払い出された数であり、出庫数）が所定数以下の景品や景品名称が検出されてもよい。景品名称が検出される場合には、景品名称に属する各景品の取引数の合計が所定数以下となる景品名称が検出される。また、検出条件において、景品の個数（在庫数）の代わりに、在庫数分の景品の合計金額や各景品名称におけるトータル在庫数分の景品の合計金額といった在庫金額をパラメータとして用いることができる。要は、取り引きが長期間ない（人気のない）景品（景品名称）や在庫がほとんど残っていない景品（景品名称）が検出できるような条件は、全て検出条件とすることができる。
【００５１】
また、検出条件について、１種類だけに限られる訳でなく、複数種類の検出条件がまとめて選択されてもよい。たとえば、「最終入出庫日」および「在庫数」の両方の先頭のチェックボックス４１にチェックマーク４２を入れれば、最終入出庫日および在庫数の両方が検出条件となる。具体的には、図５の場合において、「最終入出庫日」および「在庫数」の両方の先頭のチェックボックス４１にチェックマーク４２を入れれば、最終入出庫日が２０１０年５月３１日以前であり、かつ、在庫数が７０個以下である景品や景品名称が検出される。このようにすれば、検出条件（言い換えれば、景品の削除条件）について、（最終）入出庫日だけでなく在庫数も絡めて自由に設定できるので、使い勝手がよい。
【００５２】
「（３）その他」に関し、設定画面４０には、「該当する景品名称を削除」というメッセージと、「該当する景品のみ削除」というメッセージとが表示されていて、各メッセージの先頭に、チェックボックス４１が表示されている。たとえば、景品名称に属する景品の少なくともいずれか（ここでは、全て）の最終入出庫日が検出条件を満たす場合や、景品名称のトータル在庫数が検出条件を満たす場合等において、該当する景品名称についての全てのデータをデータベース３４から削除したければ、「該当する景品名称を削除」の先頭のチェックボックス４１にチェックマーク４２を入れる。一方、検出条件を満たす景品が検出された場合に、その景品だけをデータベース３４から削除したければ、「該当する景品のみ削除」の先頭のチェックボックス４１にチェックマーク４２を入れる。
【００５３】
図５では、「（１）実行タイミング」における「閉店時自動削除」のメッセージ、「リスト出力あり」のメッセージ、「（２）検出条件」における「最終入出庫日」のメッセージ、および、「（３）その他」における「該当する景品のみ削除」のメッセージのそれぞれの先頭のチェックボックス４１に、店員によってチェックマーク４２を入れられている。また、最終入出庫日記入欄４３には、「２０１０年５月３１日」と記入されている。この場合には、最終入出庫日が２０１０年５月３１日以前の景品がデータベース３４から検出され、検出された景品だけが閉店時にデータベース３４から自動削除され、検出された景品のリストが出力されるように設定されている。
【００５４】
図６は、景品管理装置２によって実行される処理の手順を示すフローチャートである。図７Ａ〜図８Ｂは、景品管理装置２の店側表示部１４の表示の一例を示す図である。
次に、図６および図７Ａ〜図８Ｂを参照して、景品管理装置２によって実行される検出削除処理について説明する。
図６を参照して、待機状態において、制御部３０（図３参照）は、計時部３１（図３参照）の検出結果に基づいて、データベース３４から削除する対象の景品（削除対象景品）または景品名称を検出するタイミングになったか否かを監視している（ステップＳ１）。このタイミングは、予め定められている。たとえば、前述したように、各景品や景品名称を閉店時に自動削除または手動削除するように設定されている場合（図５参照）、制御部３０は、ステップＳ１において閉店時になったか否かを監視する。つまり、閉店時が、前述したタイミングとなる。また、各景品や景品名称を任意のタイミングで手動削除するように設定されている場合（図５参照）、店員がキーボード７（図２参照）を操作して景品や景品名称の検出指令を景品管理装置２に入力したときが、前述したタイミングとなる。このタイミングは、検出削除処理の実行指令が入力されたタイミングであると言える。
【００５５】
削除対象景品（景品名称）の検出タイミングになると（ステップＳ１でＹＥＳ）、制御部３０は、検出対象景品（景品名称）の検出条件は決定済みであるか否かを確認する（ステップＳ２）。具体的には、制御部３０は、図５の「（２）検出条件」において、「最終入出庫日」および／または「在庫数」の先頭のチェックボックス４１にチェックマーク４２が入れられて、最終入出庫日記入欄４３および／または在庫数記入欄４４に数値が記入されているか否かを確認する。
【００５６】
図６を参照して、削除対象景品（景品名称）の検出条件が決定済みであれば（ステップＳ２でＹＥＳ）、制御部３０は、検出対象景品（景品名称）の検出処理を行う（ステップＳ３）。
具体的には、削除対象景品（景品名称）の検出条件が、たとえば最終入出庫日が２０１０年５月３１日以前の景品（景品名称）である場合であって、該当する景品のみ削除する場合（図５参照）、制御部３０は、データベース３４（図４参照）の中から、最終入出庫日が２０１０年５月３１日以前である景品を検出する。図４の場合、制御部３０は、最終入出庫日が２０１０年５月３１日以前である「リンゴあめ」、「歯ブラシ」、「洗剤」、「石けん」、「タオル」および「防犯ブザー」を検出する。この際、制御部３０は、対象となる景品の検出条件（ここでは、最終入出庫日であり、図４参照）に基づいて、当該景品を検出する。
【００５７】
つまり、制御部３０は、ステップＳ１の予め定めるタイミングで検出削除処理の実行指令が入力されたことに応答して、データベース３４において、最終入出庫日が予め定める期間更新されていない景品を検出する（ステップＳ３）。当該予め定める期間とは、検出条件として設定された最終入出庫日からステップＳ１のタイミングまでの期間（前記設定された最終入出庫日を含まず）である。
【００５８】
このように、データベース３４で管理されている各景品は、景品別のバーコードデータで区別されており（図４参照）、検出条件に該当する項目（ここでは、最終入出庫日）を検出することによって、予め定める期間において入出庫がない景品を円滑に選び出すことができる。これにより、在庫の中から特定の景品を選び出すことに関して使い勝手の向上を図ることができる。
【００５９】
また、該当する景品名称を削除することとし、その景品名称の検出条件が、たとえば２０１０年５月３１日以前の最終入出庫日である場合（図５参照）、制御部３０は、データベース３４（図４参照）の中から、最終入出庫日が２０１０年５月３１日以前である景品ばかりが属する景品名称（図４では、「日用品」および「防犯ブザー」）を検出する。この際、制御部３０は、対象となる景品の検出条件（ここでは、最終入出庫日であり、図４参照）に基づいて、当該景品が属する景品名称を検出する。つまり、制御部３０は、ステップＳ１で予め定めるタイミングで検出削除処理の実行指令が入力されたことに応答して、データベース３４において、最終入出庫日が予め定める期間更新されていない景品が属する景品名称を検出する（ステップＳ３）。
【００６０】
また、景品名称の検出条件が、たとえば７０個以下のトータル在庫数である場合（図５参照）、制御部３０は、データベース３４（図４参照）の中から、トータル在庫数が７０個以下である景品名称（図４では、「スナック」、「日用品」および「防犯ブザー」）を検出する。
また、景品名称の検出条件が、たとえば２０１０年５月３１日以前の最終入出庫日であり、かつ、７０個以下のトータル在庫数である場合（図５参照）、制御部３０は、データベース３４（図４参照）の中から、最終入出庫日が２０１０年５月３１日以前でトータル在庫数が７０個以下である景品名称（図４では、「日用品」および「防犯ブザー」）を検出する。
【００６１】
以上のように、図６のステップＳ３において、制御部３０は、データベース３４に記憶される景品の中から、前述した日付情報（最終入出庫日）や在庫情報（トータル在庫数や在庫数）等に関する内容を指定する所定の条件（前述した検出条件）に一致する景品を検出（抽出）する。
図６を参照して、検出処理の後、制御部３０は、削除対象景品（景品名称）のリストを出力する（ステップＳ４）。具体的には、制御部３０は、店側表示部１４に、図７Ａまたは図７Ｂに示す検出結果表示画面５０を表示する。検出結果表示画面５０には、＜検出結果＞というタイトルが左上に表示されているとともに、検出結果表示画面５０の右端に、今回の検出条件（ここでは、最終入出庫日が２０１０年５月３１日以前であること）が表示されている。
【００６２】
ここで、図５の「（３）その他」において、「該当する景品名称を削除」の先頭のチェックボックス４１にチェックマーク４２が入ることで、該当する景品名称の全てのデータをデータベース３４から削除するように予め設定されている場合、検出結果表示画面５０には、図７Ａに示す内容が表示される。
詳しくは、検出結果表示画面５０には、＜検出結果＞というタイトルの下に、削除対象の景品名称（ここでは、「日用品」および「防犯ブザー」）の景品コード、景品名称、トータル在庫数、最終入出庫日（当該景品名称に属する全ての景品の最終入出庫日の中で直近の最終入出庫日）という景品データを表示される。また、検出結果表示画面５０の下端には、「検出された景品名称のデータをデータベースから削除しますか？」というメッセージが表示され、このメッセージの右隣に、「はい」と記された決定ボタン５１と、「いいえ」と記された取消ボタン５２とが表示される。
【００６３】
さらに、検出結果表示画面５０において、検出された景品名称の各景品コードの表示の左隣には、チェックボックス５５が表示される。このチェックボックス５５（タッチパネルスイッチ１５においてチェックボックス５５に一致する部分）に触れることで、チェックボックス５５にチェックマーク５６を付けたり消したりすることができる。検出結果表示画面５０が表示された直後の状態では、全てのチェックボックス５５にチェックマーク５６が付いている（入っている）。この状態で決定ボタン５１を押せば、検出された景品名称の全てのデータ（図７Ａの場合、「日用品」および「防犯ブザー」に属する全てのデータであり、図４参照）をデータベース３４から削除することを決定でき、取消ボタン５２を押せば、検出された景品名称をデータベース３４から削除することをキャンセルできる。一方、検出結果表示画面５０に表示された景品名称のうち、削除を望まない景品名称があれば、その景品名称に対応するチェックボックス５５からチェックマーク５６を消す。この場合、決定ボタン５１を押すと、チェックボックス５５にチェックマーク５６が付いている景品名称についてのデータだけが削除されるものの、チェックボックス５５からチェックマーク５６が消された景品名称についてのデータは削除されない。このように、タッチパネルスイッチ１５においてチェックボックス５５からチェックマーク５６を消すことによって、ステップＳ３の検出処理で検出（抽出）された景品の中から任意の景品名称（景品）を削除対象から除外することができる。これにより、遊技店（操作者）の都合に応じて、当該任意の景品名称（景品）を、景品交換の対象外としないように設定できるので、使い勝手がよい。
【００６４】
以下では、一例として、図７Ａにおいて、「防犯ブザー」のチェックボックス５５からチェックマーク５６を消して（外して）から決定ボタン５１を押すものとする。
また、検出条件を複数設定した場合、たとえば、最終入出庫日および在庫数の両方を検出条件とした場合において、データベース３４の最終入出庫日が予め定める期間更新されておらず、しかし在庫数が予め設定された設定数以上ある景品名称が存在し得る。このような場合、つまり、複数ある検出条件の全てが満たされていない場合にも、制御部３０は、検出結果表示画面５０に、その景品名称についての前述した景品データを出力してもよい。店員は、出力された景品データを見て、その景品データに係る景品名称を削除すべきか否かを検討できるので、使い勝手がよい。
【００６５】
一方、図５の「（３）その他」において、「該当する景品のみを削除」の先頭のチェックボックス４１にチェックマーク４２が入ることで、削除対象景品のみを削除するように予め設定されている場合、検出結果表示画面５０には、図７Ｂに示すように、＜検出結果＞というタイトルの下に、削除対象景品が属する景品名称における全体のデータが表示される。このデータには、景品コード、景品名称、トータル在庫数、ならびに、景品名称に属する各景品の個別名、バーコードデータ、在庫数および最終入出庫日が含まれている（図４も参照）。つまり、この場合には、各景品名称のグループ内の景品のうちで検出条件に一致する景品が一つでもあると、制御部３０は、その景品のデータだけでなく、この景品が属する景品名称のグループ内の全ての景品のデータも検出（抽出）して検出結果表示画面５０に表示する。これにより、検出条件に一致する景品だけでなく、この景品と同グループの景品もまとめて抽出できるので、使い勝手がよい。
【００６６】
そして、検出結果表示画面５０において、＜検出結果＞というタイトルの右側には、ドットが付された四角い枠の中に「削除対象景品」と記されたアイコン５３が表示される。アイコン５３は、検出結果表示画面５０においてドットが付された景品が削除対象景品であることを示すものである。
そのため、検出結果表示画面５０では、削除対象景品のデータだけが、図７Ｂにおいてドットを付して示すように、強調表示されている。図７Ｂでは、「あめ」、「日用品」および「防犯ブザー」のそれぞれの景品名称における全てのデータが検出結果表示画面５０に表示され、「リンゴあめ」、「歯ブラシ」、「洗剤」、「石けん」、「タオル」および「防犯ブザー」のデータだけが強調表示されている。検出結果表示画面５０の下端には、「検出された景品をデータベースから削除しますか？」というメッセージが表示され、このメッセージの右隣に、前述した決定ボタン５１および取消ボタン５２が表示される。決定ボタン５１を押せば、検出された景品だけをデータベース３４から削除することを決定でき、取消ボタン５２を押せば、検出された景品をデータベース３４から削除することをキャンセルできる。なお、図７Ａの場合とは異なり、決定ボタン５１を押しても、検出された景品が属する景品名称の全てのデータ（図７Ｂの場合、削除対象の「リンゴあめ」、「歯ブラシ」、「洗剤」、「石けん」、「タオル」および「防犯ブザー」以外のデータ）がデータベース３４から削除されることはない。また、図７Ａで説明したのと同様に、強調表示された景品のうち、任意の景品を削除対象から除外することができてもよい。具体的には、画面を押下することで、当該景品の強調表示を解除する方法が想定される。
【００６７】
このように、制御部３０は、検出処理（ステップＳ３）で検出されたバーコードデータの景品や景品名称のデータを削除することについての店員への問い合わせを店側表示部１４の検出結果表示画面５０において出力する。
店員は、図７Ａまたは図７Ｂに示す検出結果表示画面５０（削除対象景品または景品名称のリスト）を見ることによって、検出された景品（景品名称）を全て削除すべきか否かを検討することができる。店員は、検出された景品（景品名称）を全て削除してもよければ、決定ボタン５１を押し、検出された景品（景品名称）を削除すべきでなければ、取消ボタン５２を押す。
【００６８】
このように、店員は、検出結果表示画面５０によって出力された問い合わせ内容を確認することで、検出されたバーコードデータの景品や景品名称が削除される前に、そのバーコードデータの景品や景品名称を削除すべきか否かを一旦検討することができる。これにより、削除すべきでなかった景品や景品名称が店員に知られずに削除されてしまう不具合を防止でき、使い勝手がよい。
【００６９】
図６を参照して、制御部３０は、ステップＳ４において検出結果表示画面５０を店側表示部１４に表示した後、今回検出された全ての対象景品（景品名称）の削除が決定されたか否かを監視する（ステップＳ５）。具体的には、手動削除が設定されていた場合には（図５参照）、制御部３０は、店員によって、検出結果表示画面５０の前述した決定ボタン５１（図７Ａおよび図７Ｂ参照）が押された否かを監視する。
【００７０】
決定ボタン５１が押されて対象景品（景品名称）の削除が決定されると（ステップＳ５でＹＥＳ）、制御部３０は、ステップＳ３の検出処理で検出された全てのバーコードデータの対象景品または景品名称についての全てのデータをデータベース３４（図４参照）から削除する（ステップＳ６）。ここで、自動削除が設定されていた場合には、制御部３０は、ステップＳ３で削除対象景品（景品名称）を検出した後、少なくともステップＳ５の処理を行わずに、全ての削除対象景品（景品名称）についての全てのデータをデータベース３４から削除する（ステップＳ６）。手動削除および自動削除のいずれが設定されていた場合においても、制御部３０は、予め定めるタイミングで、実行指令が入力されたことに応答して、ステップＳ６で削除動作する。当該予め定めるタイミングとは、手動削除が設定されていた場合には、ステップＳ５で削除が決定されたタイミングであり、自動削除が設定されていた場合には、ステップＳ１の検出タイミングまたはステップＳ３の検出処理が終わったタイミングである。
【００７１】
ステップＳ６では、制御部３０は、前述した検出条件に当てはまる（検出条件を満たす）景品や景品名称についての全てのデータをデータベース３４（図４参照）から削除する。つまり、たとえば、制御部３０は、最終入出庫日が検出条件の最終入出庫日（図５参照）以前の景品や景品名称についての全てのデータをデータベース３４（図４参照）から削除する。また、たとえば、制御部３０は、在庫数が検出条件の在庫数（図５参照）以下の景品や景品名称についての全てのデータをデータベース３４（図４参照）から削除する。さらに、最終入出庫日および在庫数の両方が検出条件である場合、制御部３０は、最終入出庫日の検出条件で検出した景品や景品名称について、在庫数やトータル在庫数が、予め設定された検出条件の在庫数（図５参照）以下の場合に、景品や景品名称についての全てのデータをデータベース３４（図４参照）から削除する。
【００７２】
以上のように、ステップＳ６では、制御部３０は、ステップＳ３の検出処理で検出（抽出）された景品の全部を、景品交換の対象外とする。ただし、図７Ａの場合においてチェックボックス５５からチェックマーク５６が外された景品名称があれば、制御部３０は、ステップＳ６において、その景品名称以外の景品名称の景品（つまり、ステップＳ３の検出処理で検出された景品の一部）だけを、景品交換の対象外とする。
【００７３】
そのため、前記所定の条件（検出条件）を決めれば、その条件に一致する景品をデータベース３４の景品の中から自動で抽出でき、抽出された景品の一部または全部を、景品交換の対象外とすることができる。これにより、在庫の中から特定の景品を選び出すことに関して使い勝手の向上を図ることができる。
ここで、データベース３４では、同族の複数の景品を共通の景品名称でまとめている（図４参照）。そのため、たとえば、予め定める期間において入出庫日が更新されていない景品名称に属する複数の景品について、各景品を個別に検索しなくても、各景品が属する景品名称をデータベース３４から削除することによって、当該景品名称に属する全ての景品をまとめて選び出してデータベース３４から削除できる。これにより、在庫の中から特定の景品を選び出すことに関して使い勝手の向上を図ることができる。
【００７４】
一方、図６を参照して、取消ボタン５２（図７Ａおよび図７Ｂ）が押されて対象景品（景品名称）の削除がキャンセルされると（ステップＳ５でＮＯ）、制御部３０は、削除対象景品（景品名称）の検出条件が変更されたか否かを監視する（ステップＳ７）。具体的には、図５の「（２）検出条件」において、今までとは別のチェックボックス４１にチェックマーク４２が入れられたり、最終入出庫日や在庫数が変更されたりすると、検出条件が変更される。検出条件が変更されると（ステップＳ７でＹＥＳ）、制御部３０は、変更後の検出条件に基づいてステップＳ３以降の処理を行う。
【００７５】
また、図６を参照して、検出条件が変更されない場合（ステップＳ７でＮＯ）、制御部３０は、ステップＳ３で検出された削除対象景品（景品名称）が変更されたか否かを監視する（ステップＳ８）。たとえば、ステップＳ４で削除対象景品（景品名称）のリスト（図７Ａおよび図７Ｂの検出結果表示画面５０）が出力されてから、そのリストを見た店員が、リストにおける一部の景品（景品名称）だけを削除したいと思ったり、追加で別の景品（景品名称）を削除したいと思ったりする場合がある。
【００７６】
これらの場合、店員は、チェックボックス５５からチェックマーク５６を外したり（図７Ａ参照）、キーボード７（図２参照）を操作したりすることによって、ステップＳ３で検出された削除対象景品（景品名称）を所望の削除対象景品（景品名称）に変更した上で、当該所望の削除対象景品（景品名称）の削除を決定できる。削除対象景品（景品名称）が変更された場合（ステップＳ８でＹＥＳ）、制御部３０は、変更後の対象景品（景品名称）をデータベース３４（図４参照）から削除する（ステップＳ６）。つまり、ステップＳ８では、ステップＳ３の検出処理で検出（抽出）された景品の中から任意の景品（景品名称）を、キーボード７の操作等によって、削除対象から除外できる。これにより、都合に応じて、当該任意の景品を、景品交換の対象外としないように設定できるので、使い勝手がよい。そして、この場合、制御部３０は、ステップＳ３の検出処理で検出（抽出）された景品の少なくとも一部を、ステップＳ６において、景品交換の対象外とする。
【００７７】
所定時間が経過しても削除対象景品（景品名称）が変更されない場合（ステップＳ８でＮＯ）、制御部３０は、今回の検出削除処理自体がキャンセルされたものとして、次回の削除対象景品（景品名称）の検出タイミングを待つ（ステップＳ１）。
そして、制御部３０は、ステップＳ６で対象景品（景品名称）をデータベース３４から削除した後に、削除済み景品（景品名称）のリストを出力する（ステップＳ９）。具体的には、制御部３０は、店側表示部１４に、図８Ａまたは図８Ｂに示す削除結果表示画面６０を表示する。
【００７８】
ここで、データベース３４から該当する景品名称を削除した場合には、削除結果表示画面６０には、図８Ａに示すように、「以下の景品名称のデータをデータベースから削除しました。該当する景品名称に属する景品の現物を棚から取り除いて下さい。」というメッセージが表示され、このメッセージの下に、削除した景品名称についての全てのデータが表示される。このデータには、景品コード、景品名称、トータル在庫数、ならびに、景品名称に属する各景品の個別名、バーコードデータ、在庫数および最終入出庫日が含まれている。店員は、削除結果表示画面６０に表示された景品名称に属する景品を在庫数分（つまり、全部）棚Ｔ（図１参照）から取り除く。これにより、検出された景品名称の景品についての在庫処分が完了する。
【００７９】
一方、データベース３４から削除対象景品のみを削除した場合には、削除結果表示画面６０には、図８Ｂに示すように、「以下の景品をデータベースから削除しました。該当する景品の現物を棚から取り除いて下さい。」というメッセージが表示され、このメッセージの下に、削除した景品のデータが表示される。このデータには、削除された景品が属する景品名称についての景品コードおよび景品名称と、当該景品の個別の景品名、バーコードデータおよび在庫数が含まれている。店員は、削除結果表示画面６０に表示された景品を在庫数分（つまり、全部）棚Ｔから取り除く。これにより、検出された景品についての在庫処分が完了する。
【００８０】
以上のように、人気がなかったり、在庫が少なかったりする景品（景品名称）をデータベース３４における膨大な種類の景品の在庫の中からスムーズに検出して自動または手動で削除することができる。
そして、この実施形態で示した景品管理方法によれば、図６のステップＳ３の抽出工程では、景品に関する情報を記憶するデータベース３４の中から所定の条件に一致する景品を抽出し、図６のステップＳ６の対象外処理工程では、抽出工程によって抽出された景品の一部または全部を、景品交換の対象外とする。
【００８１】
そのため、前記所定の条件（検出条件）を決めれば、その条件に一致する景品をデータベース３４の景品の中から自動で抽出でき、抽出された景品の一部または全部を、景品交換の対象外とすることができる。これにより、在庫の中から特定の景品を選び出すことに関して使い勝手の向上を図ることができる。
この発明は、以上の実施形態の内容に限定されるものではなく、請求項記載の範囲内において種々の変更が可能である。
【００８２】
たとえば、データベース３４から景品（景品名称）を検出して削除する処理は、前述した実施形態では景品管理装置２によって実行されているが、ターミナルコントローラ３３（図３参照）によって実行されてもよい。この場合、前述した設定画面４０（図５参照）や検出結果表示画面５０（図７Ａおよび図７Ｂ参照）や削除結果表示画面６０（図８Ａおよび図８Ｂ参照）は、景品管理装置２の店側表示部１４に表示されてもよいし、ターミナルコントローラ３３の表示部（図示せず）に表示されてもよい。
【００８３】
また、検出された景品（景品名称）は、データベース３４から削除されるだけでなく、データベース３４とは別の専用データベース（図示せず）に移されて、不人気景品（景品名称）または僅少景品（景品名称）として、当該専用データベースにおいて別途管理されてもよい。また、検出された景品（景品名称）について、景品データの移動や削除を行うことなく、交換対象外である旨のフラグを立てるようにしてもよい。これらの場合、別途管理されたり、前記フラグが立てられたりした景品は、交換対象の景品として再び取り扱われることになった際に、前記専用データベースからデータベース３４に戻されたり、前記フラグが削除されたりすることによって、データベース３４において交換対象景品として復活できる。
【００８４】
また、前述した実施形態では、検出処理（図６のステップＳ３）で検出（抽出）された景品（景品名称）の一部または全部がステップＳ６で景品交換の対象外とされているが、検出処理で検出されなかった景品（景品名称）の一部または全部をステップＳ６で景品交換の対象外としてもよい。この場合、検出条件を決めれば、その条件に一致しない景品をデータベース３４の景品の中から自動で抽出でき、当該景品の一部または全部を、景品交換の対象外とすることができる。これにより、在庫の中から特定の景品を選び出すことに関して使い勝手の向上を図ることができる。
【００８５】
また、設定画面４０（図５参照）や検出結果表示画面５０（図７Ａおよび図７Ｂ参照）や削除結果表示画面６０（図８Ａおよび図８Ｂ参照）のそれぞれの内容は、店側表示部１４（図２参照）に表示されるだけでなく、削除結果リストとして紙に印刷されて用紙排出口１１（図２参照）から排出されることで、店員に向けて出力されてもよい。このように削除結果を印字出力しておけば、景品データを削除した後に、景品管理装置２を使った他の処理（たとえば、在庫確認等）を行ってから、削除結果リストを確認しながら、対象景品を棚Ｔ（図１参照）から取り除くことができる。
【００８６】
また、前述した景品の検出条件は、最終入出庫日や在庫数やこれらの組み合わせであったが、別の検出条件として、たとえば、所定期間内の交換実績が挙げられる。具体的には、３ヶ月以内の交換実績が５個以下の景品を検出するとした場合には、データベース３４（図４参照）では、各景品名称（または個別名）について、直近で交換がなされた５個の景品の各出庫日を管理する。そして、前述した所定期間（３ヶ月）の条件で検索し、前記５個の景品の中で最も古い出庫日が前記所定期間より古い景品を削除対象として検出（リストアップ）する。
【００８７】
また、前述した実施形態では、人気のない（不人気）景品を抽出して削除しているが、本発明は、不人気景品以外の景品の抽出にも適用できる。たとえば、季節限定景品やキャンペーン景品の取扱期間が終了した場合や、不具合がある景品が判明した場合等に、対象景品をデータベース３４（図４参照）から抽出・削除する場合にも本発明を適用できる。具体的には、前述した設定モードにおいて、当該対象景品の入力画面（図示せず）を店側表示部１４（図２参照）に呼び出した状態で、当該対象景品のバーコードをバーコードリーダ６（図２参照）で読み取ったり、当該対象景品の景品名称を景品管理装置２に入力したりしてから、検索を実行することにより、その入力内容（所定条件）に一致した景品、つまり、当該対象景品の景品データがデータベース３４から抽出される。次に、景品管理装置２に対してデータ削除の実行を指示すれば、当該対象景品の景品データがデータベース３４から削除される。
【００８８】
また、景品管理システム１００では、複数台の景品管理装置２を通信可能に接続して、そのうちの１台を親機に設定し、残りの景品管理装置２を子機に設定してもよい（図１参照）。この場合、親機は、前述したデータベース３４（図３参照）を有しており、親機で景品補充処理や景品交換処理が行われたり、子機からのデータ更新情報を受け取ったりすると、データベース３４（図４参照）のデータ内容を更新する。子機で景品補充処理や景品交換処理が行われると、当該子機は、これらの処理に関連するデータ更新情報を親機に送信する。
【００８９】
また、図６の処理（データベース３４における景品データの検出削除処理）は、たとえば、１ヶ月〜数ヶ月に１回程度行うとよい。また、遊技店の景品ラインナップに新規で追加される景品をデータベース３４に登録する際に、前記処理を併せて実施すれば、追加される景品と入れ替わりで、該当する景品データがデータベース３４から削除されることにより、データベース３４で取り扱う景品の種類が全体として増えずに済む。
【００９０】
また、データベース３４（図４参照）において、景品名称毎または景品毎に、「削除検出の対象外設定」の項目を追加しておくとよい。当該項目は、非抽出景品設定手段を構成する。当該項目にチェックが入っている景品名称または景品は、前述した検出処理（図６のステップＳ３）の際に、検出条件に一致する、一致しないにかかわらず、制御部３０によって削除対象景品（景品名称）として抽出（リストアップ）されない（図６のステップＳ３およびＳ４）。たとえば、特殊景品や、遊技店として景品のラインナップに残しておきたい一般景品がある場合に、それらの景品（「非抽出景品」という）についての当該項目にチェックを入れておくとよい。これにより、任意に選んだ非抽出景品は、抽出されず、景品交換の対象外とされないように設定できるので、使い勝手がよい。
【００９１】
また、データベース３４において、「（最終）入出庫日」に代えて、「入庫日」と「出庫日」とを別々に管理したり、「出庫日」だけを管理したりしてもよい。
また、ＩＣカードリーダ５は、カードＣ（図２参照）が載置できるタイプであっても、前述したスリット２３にカードＣを差し込めるタイプ（図２参照）であってもよい。さらに、ＩＣカードリーダ５が景品管理装置２に内蔵されていてもよい。
【００９２】
本発明は、遊技店の景品管理装置２（景品管理システム１００）に適用しているが、本発明の景品管理装置２と同様の機能を流通業界向けのＰＯＳに適用することもできる。
【符号の説明】
【００９３】
７      キーボード
１５    タッチパネルスイッチ
３０    制御部
３４    データベース
１００  景品管理システム
【図１】
2012120700.tif 000003
【図２】
2012120700.tif 000004
【図３】
2012120700.tif 000005
【図４】
2012120700.tif 000006
【図５】
2012120700.tif 000007
【図６】
2012120700.tif 000008
【図７Ａ】
2012120700.tif 000009
【図７Ｂ】
2012120700.tif 000010
【図８Ａ】
2012120700.tif 000011
【図８Ｂ】
2012120700.tif 000012